Podtech/llm-jp-corpus-v4-ja_patent huggingface dataset:
(57)【要約】【課題】  スポンジの背面に、突起又は、孔又は、袋又は、ゴムバンドを設け、ここに指を挿入するか又は挟むことにより、指を伸ばした状態でも手から離れ落ちることのない、握らず洗えるスポンジを提供する。【解決手段】  スポンジ背面に指を１本又は２本又は３本又は４本又は５本、挿入又は挟むことのできる、突起又は、孔又は、袋又は、ゴムバンドを設ける。【選択図】図１
2009028466.tif 000002
【特許請求の範囲】
【請求項１】
スポンジの背面に、２本又は３本又は４本又は５本の指を挿入するか又は挟むことのできる突起を設けたスポンジ。
【請求項２】
スポンジの背面に、１本又は２本又は３本又は４本又は５本の指を挿入できる孔を設けたスポンジ。
【請求項３】
スポンジの背面に、１本又は２本又は３本又は４本又は５本の指を挿入できる袋を設けたスポンジ。
【請求項４】
スポンジの背面に、１本又は２本又は３本又は４本又は５本の指を挿入できるゴムバンドを設けたスポンジ。
【発明の詳細な説明】
【技術分野】
【００１】  本発明は、スポンジの背面に、突起又は、孔又は、袋又は、ゴムバンドを有し、手で握ることなく、突起又は、孔又は、袋又は、ゴムバンドに指を挿入又は挟んで保持するスポンジに関するものである。
【背景技術】
【００２】  従来スポンジは全体を握って使用するが、使い勝手向上のため取っ手や柄を設けたり手袋型にする等の改良が図られている。
【発明の開示】
【発明が解決しようとする課題】
【００３】  基本的なスポンジや取っ手や柄を設けたものでは、握る力を緩めるとスポンジは手から離れて落ちてしまう。また作業中に少し他の作業をしようとした時、都度スポンジを一旦何処かに置く必要があり煩わしい。手袋型のものであると、脱着が煩わしい、手がふやけてしまう等の問題点がある。
本発明は以上のような欠点を解決するためのものである。
【課題を解決するための手段】
【００４】  スポンジの背面に、突起又は、孔又は、袋又は、ゴムバンドを設ける。
【発明の効果】
【００５】（イ）握っている手を開いてもスポンジが手から離れ落ちないため、清掃・洗浄中の作業性がよくなる。
（ロ）握る必要がなくなり指を伸ばした状態で使用できるため、爪を伸ばしている女性でも爪を傷めず作業できる。
（ハ）お年寄りや、手に障害をもつ方など、手を握る力が弱くなっている人でも楽に作業できる。
【発明を実施するための最良の形態】
【００６】  以下、本発明の実施の形態を説明する。
（イ）スポンジ（１）の背面に、突起（２）又は、孔（３）又は、袋（４）又は、ゴムバンド（５）を設ける。この突起又は、孔又は、袋又は、ゴムバンドは、指を１本から５本挿入又は挟むことができるものとする。
（ロ）突起（２）又は、孔（３）又は、袋（４）又は、ゴムバンド（５）は、指を１本から５本挿入できるものとするが、指何本分を挿入できるものにするかは、使用する作業の形態及び、使用する人其々の使い勝手に応じて決定する。
（ハ）突起（２）には窪み（６）を設け、ここに指が収まるようにするとより保持性が良くなる。２本指型の場合は、突起部を指２本で挟む形で保持する。
（ニ）孔（３）には切り欠き（７）を設け、指を挿入しやすくすることもできる。
（ホ）袋（４）は先端を切り取った形にして指を貫通させる貫通型（８）にも応用できる。
（ヘ）孔（３）又は、袋（４）は、指を各々独立で挿入できるものと、指何本かを一緒にひとつの孔又は、袋に挿入するものが考えられる。
【図面の簡単な説明】
【００７】
【図１】突起・３本指型
【図２】突起型・使用例
【図３】突起・２本指型
【図４】突起・４本指型
【図５】突起・５本指型
【図６】孔型・使用例
【図７】孔・１本指型
【図８】孔・２本指型
【図９】孔・３本指型
【図１０】孔・４本指型
【図１１】孔・５本指型
【図１２】袋型・使用例
【図１３】袋・１本指型
【図１４】袋・２本指型
【図１５】袋・３本指型
【図１６】袋・４本指型
【図１７】袋・５本指型
【図１８】ゴムバンド型・使用例
【図１９】ゴムバンド・１本指型
【図２０】ゴムバンド・２本指型
【図２１】ゴムバンド・３本指型
【図２２】ゴムバンド・４本指型
【図２３】ゴムバンド・５本指型
【符号の説明】
【００８】（１）スポンジ、（２）突起、（３）孔、（４）袋、（５）ゴムバンド、（６）窪み
（７）切り欠き（８）貫通型
【図１】
2009028466.tif 000003
【図２】
2009028466.tif 000004
【図３】
2009028466.tif 000005
【図４】
2009028466.tif 000006
【図５】
2009028466.tif 000007
【図６】
2009028466.tif 000008
【図７】
2009028466.tif 000009
【図８】
2009028466.tif 000010
【図９】
2009028466.tif 000011
【図１０】
2009028466.tif 000012
【図１１】
2009028466.tif 000013
【図１２】
2009028466.tif 000014
【図１３】
2009028466.tif 000015
【図１４】
2009028466.tif 000016
【図１５】
2009028466.tif 000017
【図１６】
2009028466.tif 000018
【図１７】
2009028466.tif 000019
【図１８】
2009028466.tif 000020
【図１９】
2009028466.tif 000021
【図２０】
2009028466.tif 000022
【図２１】
2009028466.tif 000023
【図２２】
2009028466.tif 000024
【図２３】
2009028466.tif 000025
(57)【要約】【解決手段】この発明は．多段重ね回転．開口付き．貯金箱．開口付き．のため土産物．景品．記念品．等を収納することができる．土産品．景品．記念品．等を出した後は．両面テ−プ封鎖シ−ル．を装着すれば．通常の貯金箱になる【課題】（１）上段の箱．を設け．上段の箱．の上端に（８）弾性バネ装着板．を設け（１）上段の箱．の下端に（５）回転枠．を設け（７）弾性バネ．を設け（２）中段の箱．を設け（２）中段の箱．の上端に（６）流通穴．を設け（２）中段の箱．の下端に（５）回転枠．を設け（３）下段の箱．の上端に（６）流通穴を設け．（３）下段の箱．下端に（８）弾性バネ装着板．を設け（７）弾性バネ．を設け（４）硬貨投入口．を各．上中下段に設け（９）開口．を各．上中下段に設け（１０）両面テ−プ封鎖シ−ル．を各．上中下段．に設ける多段重ね回転．開口付き．貯金箱【選択図】図４
2009028464.tif 000002
【特許請求の範囲】
【請求項１】
（１）上段の箱．を設け．上段の箱．の上端に（８）弾牲バネ装着板．を設け（１）上段の箱．下端に（５）回転枠．を設け  （７）弾性バネ．を設け（２）中段の箱．を設け（２）中段の箱．上端に（６）流通穴．を設け（２）中段の箱．の下端に（５）回転枠．を設け（３）下段の箱．を設け．下段の箱の上端に（６）流通穴．を設け．（３）下段の箱．下端に（８）弾性バネ装着板．を設け（７）弾性バネ．を設け（４）硬貨投入口．を各．上中下段．に設け（９）開口．を各．上中下段．に設け（１０）両面テ−プ封鎖シ−ル．を各．上中下段．に設ける．多段重ね回転．開口付き．貯金箱
【発明の詳細な説明】
【技術分野】
【０００１】この発明は．多段重ね回転．開口付き．貯金箱．に関する．発明である
【背景技術】
【０００２】従来の貯金箱は．実用一点式の物や筒状の貯金箱は．数多く有ったが．多段重ね回転．開口付き貯金箱．は無かった．開口付きのため土産物．景品．記念品．等を収納することができる．土産物．景品．記念品．等．取り出した後は．両面テ−プ封鎖シ−ル．で封鎖すると．通常の貯金箱になり．硬貨を取り出す時は．上段と．下段を引っ張り簡単に．硬貨を取り出す．多段重ね回転開口付き．貯金箱．のため．絵をかいたり文字を書けば．多段重ね回転のため．風景が．かわり．工業大量生産も出来る
【発明が解決しょうとする課題】
【０００３】従来の貯金箱は硬貨がたまると貯金箱の底．等を破壊して硬貨を取り出したが本．発明は．上段と下段を引っ張れば．硬貨が簡単に取り出せる
【課題を解決するための手段】
【０００４】（１）上段の箱．を設け上段の箱の上端に（８）弾性バネ装着板．を設け．（１）上段の箱．の下端に（５）回転枠を設け（７）弾性バネ．を設け．（２）中段の箱．を設け（２）中段の箱．上端に（６）流通穴．を設け（２）上段の箱．下端に（５）回転枠．を設け（３）下段の箱．を設け（３）下段の箱．上端に（６）流通穴．を設け．下段の箱の下端に（８）弾性バネ装着板．を設け（７）弾性バネ．を設け  （４）硬貨投入口．を各．上中下段に設け（９）開口．を各．上中下段に設け（１０）両面テ−プ封鎖シ−ル．を各上中下段に設ける．
【発明を実施するための最良の形態】
【０００５】次ぎに本発明の形態を述べると．多段重ね回転．開口付き．貯金箱のため土産物．景品．記念品．等を収納することが出来．土産物．景品．記念品．等取り出した．後は．両面テ−プ封鎖シ−ル．で封鎖すると．通常の貯金箱．になり硬貨をとりだす時は．上段の箱と．下段の箱を引っ張れば．硬貨が簡単にとりだせる  （１）上段の箱．を設け上段の箱の上端に（８）弾性バネ装着板．を設け（１）上段の箱．の下端に（５）回転枠．を設け（７）弾性バネ．を設け（２）中段の箱．を設け（２）中段の箱．上端に（６）流通穴．を設け（２）の下端に（５）回転枠．を設け（３）下段の箱．を設け（３）下段の箱．の上端に（６）流通穴．を設け．下段の箱の下端に（８）弾性バネ装着板．を設け（７）弾性バネ．を設け（４）硬貨投入口．を各．上中下段．に設け（９）開口．を各．上中下段．に設け（１０）両面テ−プ封鎖シ−ル．を各．上中下段に設ける
【発明の効果】
【０００６】通常使用する時は．四面体のため絵をかいたり．文字をかけば．多段重ね回転．開口付き．貯金箱．のため風景もかわり．工業大量生産も出来る．なお４角錐５角錐．３角錐．６角錐．８角錐．円錐．等あるが．４角錐を選択した．多段重ね回転．開口付き．貯金箱．に付き回転さすとこ．により．風景文字等が変わり楽しく貯金．ができる
【図面の簡単な説明】
【０００７】
【図１】正面傾斜図
【図２】Ａ−Ａ断面傾斜図
【図３】背面傾斜図
【図４】分解傾斜図
【符号の説明】
【０００８】１    上段の箱
２    中段の箱
３    下段の箱
４    硬貨投入口
５    回転枠
６    流通穴
７    弾性バネ
８    弾性バネ装着板
９    開口
１０  両面テ−プ封鎖シ−ル
【図１】
2009028464.tif 000003
【図２】
2009028464.tif 000004
【図３】
2009028464.tif 000005
【図４】
2009028464.tif 000006
(57)【要約】【課題】従来の横型セッケン箱ではセッケンを横に使用する為、最後はセンベイの様になり使い切れないと云う不都合があった。【解決手段】この不都合を解決する為、セッケンの使用を横から縦使用にしてこの課題を解決する事を解決手段とした。【選択図】図１
2009028468.tif 000002
【特許請求の範囲】
セッケン箱本体の底面に少しふくらんだ状態で軟質の網を取り付けたことを特徴とする縦型セッケン箱
【発明の詳細な説明】
【技術分野】
【０００１】  本考案はセッケン箱に関するものである
【背景技術】
【０００２】  従来から横型セッケン箱が利用されている
【発明の開示】
【発明が解決しようとする課題】
【０００３】  従来の横型セッケン箱では、セッケンに直接触れたり、又小さくなると使い切れないと云う不都合がある。それを解決する事を課題とする。
【課題を解決するための手段】
【０００４】  この課題を解決する為、図面１，２，３，に示す通り、縦型セッケン箱の底面に網を取り付け、セッケンに直接触れなくても、又セッケンが小さくなっても、上から新しいセッケンを入れる事により全部使い切れる事を解決の手段とした。
【発明の効果】
【０００５】  現在の横型セッケン箱ではセッケンを横にして使用する為最後はセッケンがセンベイの様になり捨てる事になります。
年間、日本全体で五億個セッケンを使用したとすると、その一割五〇〇〇万個分は捨てる事になります。
資源の無駄使い、又二酸化炭素発生の原因となる。
縦型セッケン箱を使用する事によりセッケンが網に当り、更にセッケンが小さくなったら新しいセッケンを投入する事により、その重みで、小さくなったセッケンも残らず使い切る事が出来る。
その結果、従来捨てていた、年間五〇〇〇万個分のセッケンが生き返る。
資源の有効利用となる。      セッケンの使用を横から縦使用にする。
【発明を実施するための最良の形態】
【０００６】  図面１，２，３，に示すようにセッケン箱本体の底面に軟質の網を下に向かって、少しふくらんだ状態で取り付ける事により、セッケンが本体から下に更に出る事により、使用するのに誠に都合が良く効率的であり、セッケンに直接手を触れなくて済む。
ケースを持って大根を下すように使用する。
【図面の簡単な説明】
【０００７】
【図１】  セッケン箱本体の正面図である
【図２】  セッケン箱本体の側面図である
【図３】  セッケ箱本体の平面図である
【図４】  セッケン箱本体の斜視図である
【図５】  セッケン箱本体の実施図である
【図６】  セッケン箱本体の実施図である
【図７】  セッケン箱本体の実施図である
【図８】  使用時以外、フックにひっかけて置くセッケン箱本体の実施図である
【符号の説明】
【０００８】  １      セッケン箱本体
２      網
３      新しいセッケン
４      小さくなったセッケン
５      引っかけリング
６      フック
【図１】
2009028468.tif 000003
【図２】
2009028468.tif 000004
【図３】
2009028468.tif 000005
【図４】
2009028468.tif 000006
【図５】
2009028468.tif 000007
【図６】
2009028468.tif 000008
【図７】
2009028468.tif 000009
【図８】
2009028468.tif 000010
(57)【要約】【課題】        丸棒に中空円板を設けた介護者向け物干し具を提供する【解決手段】    ２枚の中空円板の内壁に数カ所の切り込み溝を設けて、３本の丸棒の各両先端に設けたことを特徴とする介護者向け物干し具である。【選択図】図１
2009028465.tif 000002
【特許請求の範囲】
【請求項１】
２枚の中空円板の内壁に数カ所の切り込み溝を設けて、３本の丸棒の各両先端に前記中空円板を設けたことを特徴とする介護者向け物干し具。
【発明の詳細な説明】
【技術分野】
【０００１】  本発明は、複数の丸棒の両先端に中空円板を設け、一度に多くの洗濯と洗濯干しができる介護者向け物干し具である。
【技術背景】
【０００２】  従来、洗濯干しはシーツなどは物干し竿に広げて干し、衣類は角ハンガーに止めて物干し竿に掛けて干し、ふとん干しは物干し竿に掛けて時々ふとんの裏返しをしていた。
【発明の展開】
【発明が解決しようとする課題】
【０００３】  そのために、次のような問題点があった。
（イ）  汚れやすいシーツなどの洗濯物は物干し竿にできるだけ幅を広げて干すので、衣        類などの角ハンガーを掛けるスペースがなくなり、時々洗濯物を残した。
（ロ）  ふとん干しは、ふとんの裏地の空間が狭く通気乾燥が得られず、ふとんの裏返し        作業を余儀なくされ、力のない老々介護者や介護家族そして介護ヘルパーにとっ        て大変な労力の負担となっていた。
本発明は、これらの問題を解決するためになされたものである。
【問題を解決するための手段】
【０００４】  上記問題を解決するため本発明は、２枚の中空円板の内壁に３カ所の切り込み溝を設けて、３本の丸棒の各両先端に前記中空円板を設けたものである。
【発明の効果】
【０００５】  汚れやすいシーツやふとんカバーなど幅の広い洗濯物や衣類が混合する洗濯物でも、多くの量の洗濯干しが可能になり、洗濯日に洗濯物を残すことがなくなる。
また下着などの外干でもプライバシーが保てる。
ふとん干しは、裏地の通気乾燥が早く煩わしいふとんの裏返し作業から解放され、老々介護者や介護家族および介護ヘルパーの労力の負担がきわめて軽減される。
【発明を実施するための最良の形態】
【０００６】  以下、発明の実施の形態について説明する。
（イ）  ２枚の中空円板（１）の内壁（２）に３カ所の切り込み溝（３）を設ける。
（ロ）  平行に並べた３本の棒（４）の各両先端に中空円板（１）を設ける。
本発明は以上の構成で、これを使用するときは、物干し竿（５）の一方を本発明の両側の中空円板（１）の中空を通し、切り込み溝（３）を物干し竿（５）にはめて装着する。
本発明は以上のような構成で、これを使用するときは、シーツ（７）などの枚数の多い幅の広い洗濯物の洗濯干しは３本の丸棒（３）に掛けて広げて干す。
幅の広い洗濯物と衣類の混合する洗濯物の物干しは、まず幅の広い洗濯物を外側の２本の丸棒（３）に掛けて干し、次に衣類は角ハンガー（６）などに吊し、中央の丸棒（４）に掛けて干す。
また下着類の物干しでも、外側２本に掛けた幅の広いシーツなどで外部からの視線が妨げられプライバシーが保たれるので、部屋干しから外干しに解放され、十分な通気乾燥が得られ清潔に乾燥した下着類が取り込める。
本発明の３本の丸棒（４）の総延長は、従来の一本の物干し竿（５）の数倍の長さが得られ、従来より多くの量の洗濯干しができるので、洗濯日に洗濯物を残すことがなくなる。
ふとん干しは、従来通り物干し竿（５）に掛けると、ふとん（８）の裏地は２本の丸棒（３）で空間が保持され、、わずかな風でも通気乾燥が促進され、ふとんの裏返しがなくても十分に乾燥した清潔なふとん（８）が取り込める。
取り込み時などによるふとん（８）の重量バランスが崩れ本発明にモーメントが発生しても、切り込み溝（３）が物干し竿（５）に固定されていて、本発明は自然に回転することがなく、ふとん（８）は落下しない。
本発明にバランスが崩れ傾きが生じても、本発明の両側は中空円板（１）のため傾きが目立たず、傾きによる違和感がない。
また時々使用前に物干し竿（５）に固定している切り込み溝（３）の位置を変えることで、丸棒（４）の一方方向のたわみが低減され本発明の耐久性が向上する。
【図面の簡単な説明】
【０００７】
【図１】  本発明の斜視図
【図２】  本発明の一方の中空円板を切り欠いたシーツ干しの側面図
【図３】  本発明の一方の中空円板を切り欠いた応用実施例の側面図
【図４】  本発明の一方の中空円板を切り欠いたふとん干しの実施例の側面図
【符号の説明】
【０００８】１  中空円板
２  内壁
３  切り込み溝
４  丸棒
５  物干し竿
６  角ハンガー
７  シーツ
８  ふとん
【図１】
2009028465.tif 000003
【図２】
2009028465.tif 000004
【図３】
2009028465.tif 000005
【図４】
2009028465.tif 000006
(57)【要約】【課題】片手が不自由な身障者や高齢者が片手でペーパーを引き出し切り取ることができるトイレットペーパーホルダーを提供する。【解決手段】ペーパーホルダー上ぶたに、上下移動可能な重りをつけ、ペーパー芯軸にスプリングと芯軸端に回転用の羽を設けた、片手で操作できるトイレットペーパーホルダー。【選択図】図１
2009028492.tif 000002
【特許請求の範囲】
【請求項１】
ペーパーホルダー上ぶたに、上下移動可能な重りをつけ、ペーパー芯軸にスプリングと芯軸端に回転用の羽を設けた片手で操作できるトイレットペーパーホルダー。
【発明の詳細な説明】
【技術分野】
【０００１】  本発明は、片手が不自由な身障者や高齢者が、片手で操作できるトイレットペーパーホルダーに関するものである。
【背景技術】
【０００２】従来、市販品で片手で操作できるものはなかった。
【発明の開示】
【発明が解決しようとする課題】
【０００３】  そのために、片手が不自由な人はペーパー先端が取り出しにくく必要量を切り取る作業が困難であった。
【課題を解決するための手段】
【０００４】  ペーパーホルダー芯軸の端に３枚の羽を設ける。ホルダー上ぶたにマジックテープで上下移動できる重りをつける。また上ぶた裏に１ミリ厚さのガイドを設けペーパー切り取り部分は金のこぎりの刃を装着する。ホルダー芯軸にスプリングを設ける。
【発明の効果】
【０００５】  片手の不自由な人でも簡単にトイレットペーパーを引き出し、切り取ることができる。メーカーの紙質にあわせて重りの位置を変えられ、各メーカーのペーパーの内径に対応できる。
【発明を実施するための最良の形態】
【０００６】  以下、本発明の実施の形態について説明する。
（イ）ホルダー芯軸（１）の先端に３枚の羽（２）を設ける。
（ロ）ホルダー芯軸の中ほどに３本のワイヤーを組み合わせてスプリング（３）を設ける。
（ハ）ホルダー上ぶたの左端は羽（２）の先端が出るように、切り欠き部（５）を形成する。
（ニ）ホルダー上ぶたに重り（６）をマジックテープ等でとりつける。
（ホ）上ぶた裏に厚さ１〜２ミリのガイド（７）を装着する。
ペーパー切り取り部分に金のこ切りの刃（８）をとりつける。
これを使用する時は、本ホルダー芯軸（１）にトイレットペーパーを装着し、羽（２）の先端を手前に回転させ、必要量を取り出す。上ぶた裏のガイド（７）により、ペーパーと上ぶたの間に適度なすき間が生じ滑りがよくなる。上ぶたの重り（６）はメーカーの紙質が硬めならやや下につけるよう調節すれば簡単に片手で切り取ることができる。
【図面の簡単な説明】
【０００７】
【図１】本発明の全体斜視図
【図２】本発明の分解斜視図
【符号の説明】
【０００８】１  ホルダー芯軸
２  羽
３  スプリング
４  上ぶた
５  切り欠き部
６  重り
７  ガイド
８  金のこ切りの刃
【図１】
2009028492.tif 000003
【図２】
2009028492.tif 000004
(57)【要約】【課題】  洗濯物を室内干しにする場合、除湿器具を使用したとしても室内の湿度が上昇する不快感があり、洗濯物が乾くまでに時間がかかっていた。衣類乾燥機の使用は布地を痛めたり、洗濯物が縮む原因になっていたという不都合の解消等。【解決手段】  室内物干し（１）に干した洗濯物（２）と除湿器具（３）の上部、周囲を覆う事ができる形を成し、出入り口（４）を設けた、除湿器具を利用して早く洗濯物を乾燥させる、室内干し洗濯物速乾カバー（５）により、この課題を解決する。【選択図】図１
2009028472.tif 000002
【特許請求の範囲】
【請求項１】
室内物干し（１）に干した洗濯物（２）と除湿器具（３）の上部、周囲を覆う事ができる形を成し、出入り口（４）を設けたことを特徴とする、除湿器具を利用して早く洗濯物を乾燥させる、室内干し洗濯物速乾カバー（５）。
【発明の詳細な説明】
【技術分野】
【０００１】  本発明は、室内干しの洗濯物を早く乾燥させる為のものであり、室内物干しに干した洗濯物と除湿器具の上部、周囲を覆う事ができる形を成し、出入り口を設け、除湿器具を利用して洗濯物を早く乾燥させる、室内干し洗濯物速乾カバーに関する物である。
【背景技術】
【０００２】  従来、室内干しの洗濯物は、除湿器具を使用したとしても、室内の湿度が上昇する不快感があり、洗濯物が乾くまでに時間がかかっていた。衣類乾燥機の使用は、布地を痛めたり、洗濯物が縮む原因になっていた。
【発明の開示】
【発明が解決しようとする課題】
【０００３】  これは次のような欠点があった。
（イ）洗濯物を室内干しにする場合、除湿器具を使用したとしても、室内の湿度が上昇する不快感があった。
（ロ）洗濯物を室内干しにする場合、乾燥に時間がかかっていた。
（ハ）衣類乾燥機の使用は、布地を痛めたり、洗濯物が縮む原因になっていた。
本発明は、以上のような欠点をなくすためになされたものである。
【課題を解決するための手段】
【０００４】  室内物干しに干した洗濯物と除湿器具の上部、周囲を覆う事ができる形を成したカバーに、出入り口を設ける。本発明は、以上の構成よりなる、除湿器具を利用して早く洗濯物を乾燥させる、室内干し洗濯物速乾カバーである。
【発明の効果】
【０００５】（イ）洗濯物が乾く時に室内の湿度が上昇するという不快感が軽減される。
（ロ）洗濯物が早く乾燥する。
（ハ）衣類乾燥機の使用で布地を痛めたり、洗濯物が縮む原因になるという事がない。
【発明を実施するための最良の形態】
【０００６】  以下、本発明を実施するための最良の形態について説明する。室内物干しに干した洗濯物と除湿器具の上部、周囲を覆う事ができる形を成し、出入り口を設ける。本発明は、以上のような構造でこれを使用する時は室内物干しに、室内干し洗濯物速乾カバーをかければよい。
【図面の簡単な説明】
【０００７】
【図１】  本発明の断面図である。
【図２】  本発明の斜視図である。
【符号の説明】
【０００８】１      室内物干し
２      洗濯物
３      除湿器具
４      出入り口
５      室内干し洗濯物速乾カバー
【図１】
2009028472.tif 000003
【図２】
2009028472.tif 000004
(57)【要約】【課題】親から子供を、離れないように誘導するベルトは、子供への装着は、煩わしく、特に両手がふさがっている時などは、困難であった。【解決手段】ベルトをそれぞれの手首に装着する。それぞれのベルトを、分離可能にする。【選択図】図１
2009028479.tif 000002
【特許請求の範囲】
【請求項１】
手をつなげない時に、手首同士をつなぐ事を特徴とするベルト。
【請求項２】
前記ベルトは、複数設けられた脱着装置によって個々に分離する事を特徴とする請求項１記載のベルト。
【発明の詳細な説明】
【技術分野】
【０００１】この発明は、手をつなげない時に、手首同士をつなぐベルトの形状に関する。
【背景技術】
【０００２】従来、子供を親の側から離れないようにするベルトの形状は、図２に示すように、１を着せて２を持つものである。
【発明の開示】
【発明が解決しようとする課題】
【０００３】しかしながら、以上の技術によれば、わざわざ子供に脱ぎ着させる煩わしさがあり、特に両手が、ふさがっている時は、着せる事も困難であり、使用しない時もかさばる。
そこで、この発明は、簡単で邪魔にならないベルトを提供することを課題とする。
【課題を解決するための手段】
【０００４】以上の課題を解決するために、第一発明は、手首同士をつなぐことを特徴とするベルトである。
また第二発明は、連結器具を設け、この連結器具は複数設けられた個々に分離する事を特徴とするベルトである。
【発明の効果】
【０００５】第一発明によれば、両手がふさがって子供の手をひけなくても、手を、つないだ状態と同じように、安全に誘導できる。
第二発明によれば、個々に行動する場合でも、簡単に分離させる事が出来、手首に巻いたままに出来るので、邪魔にならない。
【発明を実施するための最良の形態】
【０００６】この発明の一実施形態を、図１に示す。
このベルトは、布製で長さ調節が、可能であり、１，２，３それぞれ、長さ調節出来る。１，２，３、それぞれに連結器具が、付いており必要に応じて、１，２，３、を分離出来る。【０００７】「実施形態の効果」
この実施形態によれば、色々なサイズに対応出来、かさばる事もなく、両手が使用できない状態でも、簡単に連結出来る。【０００８】「他の実施形態」
図１の実施形態では、ベルト部分が布製であったが、他の実施形態では、ベルト部分は他の生地を用いたものでも良い。
また、図１の実施形態では、脱着装置はプラスチック製であったが、他の実施形態では、脱着装置は布製のテープ、又はボタンを用いた物でも良い。
【図面の簡単な説明】
【０００９】
【図１】この発明の一実施形態を示す斜視図である。
【図２】従来技術を示す斜視図である。
【符号の説明】
【００１０】１  手首に装着するベルト    ２  手首に装着するベルト
３  手首と手首を連結する装置
【図１】
2009028479.tif 000003
【図２】
2009028479.tif 000004
(57)【要約】【課題】室内、車内及び吸気ダクト内において、従来からある紫外線照射型殺菌装置にファンを設け風速を制御し、常時安定した紫外線殺菌効果を維持し、ナノシルバーフィルターを付加して殺菌効率を高めた装置を提供することを目的とする。【解決手段】上記課題を解決する為に、紫外線を至適流速の空気に照射させることが出来れば、殺菌を効率よく行うことが可能となる。そこで従来からある紫外線照射型殺菌装置にファンを設け風速を制御し、常時安定した紫外線殺菌効果を維持し、ナノシルバーフィルターを付加して殺菌効率を高めた装置を提供する。【選択図】図１
2009028473.tif 000002
【特許請求の範囲】
【請求項１】
室内、車内及び吸気ダクト内の空気中に浮遊する細菌、ウイルスおよび真菌類をナノシルバーをコーティングしたフィルターでろ過殺菌し、更に残存するそれら微生物を紫外線殺菌灯にて殺菌する装置であって、ナノシルバーフィルターと、２５３．７ｎｍの波長を主成分とするＵＶ−Ｃ帯域の紫外線を発生する紫外線ランプと、紫外線ランプから発生した紫外線を反射して効率を高めるアルミニウム製反射板と、紫外線照射による殺菌効率を高める為に風速を制御するファンと、をそなえる事を特徴とするナノシルバーフィルター付風速制御型紫外線照射空気殺菌装置。
【請求項２】
本体に内蔵されたファンによって紫外線殺菌に効率のよい風速を制御し、持続的に殺菌することを特徴とする請求項１に記載のナノシルバーフィルター付風速制御型紫外線照射空気殺菌装置。
【請求項３】
本体に内蔵されたナノシルバーフィルターによって、紫外線で殺菌されにくい真菌や１μｍ以上の細菌を殺菌することを特徴とする請求項１または請求項２に記載のナノシルバーフィルター付風速制御型紫外線照射空気殺菌装置。
【発明の詳細な説明】
【技術分野】
【０００１】本発明は、空気中に浮遊する細菌、ウイルスおよび真菌類を、ナノシルバーフィルターおよび、紫外線照射により殺菌する装置に関する。
【背景技術】
【０００２】従来の紫外線による殺菌装置とその方法には、室内上層空気に対して紫外線を照射するものがある（例えば特許文献１参照）。
【特許文献１】特開２００６−２３１００７号特許文献１の例に拠れば、室内上層空気に紫外線照射を一度に行い空気殺菌する効率的方法である。この方式では空気の循環を制御することが出来ない為、室内上部に暖気が留まるような状態では殺菌効率が低下することが知られている。逆に室内での空気循環速度が速すぎると紫外線照射時間が短時間となり殺菌効力が低下する。
【発明の開示】
【発明が解決しようとする課題】
【０００３】人畜の室内活動により空間の浮遊菌は増加する。この現象は結核等の従来から知られている飛沫核による感染症の主な感染経路となっている。またインフルエンザも流行期には空気感染が示唆されている。さらに鳥インフルエンザの人型への変異、炭素菌などによるバイオテロの脅威など、空気質のリスクが増大している。【０００４】波長が２５３．７ｎｍを主成分とするＵＶ−Ｃ帯域の紫外線は、細菌やウイルス類の細胞に含まれるＤＮＡ（デオキシリボ核酸）に対する破壊作用が強く、その殺菌効果は既に知られている。この紫外線を室内空間に向けて直接照射する紫外線殺菌装置は、空気中に浮遊している病原性の細菌やウイルス類を効率良く殺菌することができ、国際ガイドラインに沿った有効な方法である。【０００５】しかし、室内、車内及び吸気ダクト内等の空気循環を制御できない為に、安定的なな殺菌効率を維持することが出来なかった。【０００６】また、紫外線はウイルスなどの粒型の小さな生物には特に殺菌効果があるものの、真菌や１μｍ以上の細菌には十分な殺菌効果が期待できない場合があった。【０００７】本発明は従来から利用されてきた空気殺菌用紫外線照射装置の効率を高める為に風速を制御し、ナノシルバーフィルターを併用することで、更に性能を高める事を課題とする。
【課題を解決するための手段】
【０００８】課題を解決する為に、室内、車内及び吸気ダクト内において紫外線ランプから放射される紫外線を至適流速の空気に照射させることが出来れば、殺菌を効率よく行うことが可能となる。そこで従来からある紫外線照射型殺菌装置にファンを設け、風速を制御し、常時安定した紫外線殺菌効果を維持し、ナノシルバーフィルターを付加して殺菌効率を高めた装置を提供する事で課題を解決したものである。
【発明の効果】
【０００９】本発明は本体に強制対流するファンを設け常時安定的紫外線殺菌することを可能とし、ナノシルバーフィルターを付加することで、空気中に浮遊する細菌、ウイルスおよび真菌類を効率よく殺菌することができる。
【図面の簡単な説明】
【００１０】
【図１】ナノシルバーフィルター付風速制御型紫外線照射空気殺菌装置の断面図である。
【図２】同上の空気の流れを説明する断面図である。
【図３】同上の主要斜視図である。
【符号の説明】
【００１１】１、ナノシルバーフィルター付風速制御型紫外線照射空気殺菌装置
２、紫外線ランプ
３、ナノシルバーフィルター
４、ファン
５、アルミ製反射板
６、ルーバー
【図１】
2009028473.tif 000003
【図２】
2009028473.tif 000004
【図３】
2009028473.tif 000005
(57)【要約】【課題】従来は、杖を付いての移動中、杖を付いているだけの移動であった。また、シルバーカー（手押し車、自転車）等も使用中、握りを握っただけの移動であったが杖は、握り部に掛かる体重の一部をつぼ押しにより、手の平への刺激として伝え、シルバーカー（手押し車、自転車）等は使用中、路面の凹凸を車輪から来る振動として握り部に取り付けられたつぼ押しにより、手の平へと刺激に変える握り部の器具が望まれていた。【解決手段】杖の握り部やシルバーカー（手押し車、自転車）等の握り部の上部につぼ押し棒の変わりになる突起物を取り付け、その突起が杖を付いたとき、杖の握り部に掛かる体重の一部の重さを反力として利用し、手の平のつぼを刺激することができる。また、シルバーカー（手押し車、自転車）等の握りに関しては、走行中、握り部に組み込まれた突起が路面の凹凸が車輪から来る振動として利用して、手の平への刺激とし、悪くなった体の故障個所を良くするようにとする健康器具（握り部）にすることができる。【選択図】図２
2009028476.tif 000002
【特許請求の範囲】
【請求項１】
歩行時に杖を付いたりシルバーカー等を押したりする時、握り部に取り付けられたつぼ押しにより、杖を付いた時、杖に掛かった体重の一部が地面からの反力により、手の平のつぼを刺激する。またシルバーカー等を押した時等に、握り部に掛けられた体重の一部が、路面の凹凸から来る振動等の反力として車輪等に伝わって、手の平の反射体を刺激して、身体の故障部分を良くすることができる。この様に手の平のつぼを刺激するように作った握り具。
【発明の詳細な説明】
【技術分野】
【０００２】この発明は、今まではただ杖を付いたり、シルバーカー等を押すだけの行動器具であったが、この器具の使用時、握り部の一部分につぼ押しを取り付けることにより、使用時、身体の重さの一部を反力として利用し、手の平にあるつぼを刺激しながら身体の故障部分を良くしてゆくことに関するものである。
【背景技術】
【０００３】現在、杖やシルバーカー等は、握り部を握ることに関して、持ち安さや手になじむ等を考え作られてきたが、この握りを握り使用することで、健康へとつながり、身体の故障部分を良くすることができる器具が望まれていた。
【発明の開示】
【０００４】歩行時に杖を必要とする人や、シルバーカー等を必要とする人がその器具を使用するとき、タダノ補助器具として使用するのではなく、その器具の握り部の一部分に取り付けられたつぼ押しが、杖の握りに掛かった身体の体重の一部の重さを杖が地面に接地した時、その体重の一部の重さを反力としてつぼ押しを通じて利用する。また、シルバーカーに関しては、シルバーカーのに握り部に伝わる路面の凹凸からくる車輪の振動が握り部に伝わるので、この振動を利用して、握り部のつぼ押しを通じて手の平のつぼへの刺激として利用する。この様にして、身体の故障部分を良くするようにと考えられたものである。
【発明が解決しようとする課題】
【０００５】これまでは、次のような欠点があった。歩行時に杖を使用したり、シルバーカー等を押す時、握り部分に関しては、持ちやすいか手に馴染み良い等としての握り部として作られてきたが、ただ気持ち良くまた、心地よく使用する為の握り部として考えられていたので握り部に突起を取り付けると言う考えは逆に握り心地が悪くなるので、ある意味では欠点でもあった。この欠点を取り除き身体の一部の重さを利用する為に握り部につぼ押しを取り付けることで杖を付く時、手の平のつぼを刺激し、健康な身体へと身体の故障部分を良くできるようにと考えられたものである。
【課題を解決する為の手段】
【０００６】杖を使用した時、杖の握りの部分に身体の一部の重さが掛かるので、その重さを利用して杖を付く度、握り部に取り付けられたつぼ押しで、手の平のつぼを刺激する。また、シルバーカー（手押し車）等に関しても、手押し車を押して移動している時、道路の凹凸が車輪から伝わる振動を握り部に取り付けられたつぼ押しが、左右の手の平のつぼを刺激することで、身体の故障した部分を良くできるように考えられた構造のつぼ押しが付いた握り具である。
【発明の効果】
【０００７】つぼ押しの付いた握り部を作ることにより、杖を付いての歩行中に杖を付いた数だけ、手の平のつぼを刺激する。また、シルバーカー（手押し車、自転車）等に関しては、シルバーカー（手押し車、自転車）等を押している間、路面の継ぎ目や凹凸を、車輪が受け止め振動として伝へそれを利用して、握り部に取り付けられたつぼ押しが、手の平のつぼを刺激する。この様につぼ押しが手の平を刺激することで、身体の故障部分を良くしてゆくことができる器具（握り部）を提供できる。
【発明の実施する為の最良の形態】
【０００８】以下、本発明の実施の形態について説明する。杖の握り部の上部につぼ押し棒に変わる突起を取り付けることで、杖を地面に付く度に身体から杖の握り部に掛かる体重の一部を手の平が反力として受け、手の平のつぼを刺激することで、身体の悪くなった故障部分が良くなるようにと使用する。また、シルバーカー（手押し車、自転車）等に関しても、シルバーカー（手押し車、自転車）等を使用中、道路の凹凸を車輪が受け止め、振動として握り部のつぼ押しとして取り付けられた突起に伝わり、手の平のつぼを刺激する。この事でシルバーカー（手押し車、自転車）等を押している間、手の平に効果が及ぶようにできる器具として使用されることができるものである。
【図面の簡単な説明】
【図１】杖の握り部につぼ押しが組み込まれた側面図
【図２】杖の握り部につぼ押しが組み込まれた平面図
【図３】シルバーカー（手押し車、自転車）等の握り部につぼ押しが組み込まれた側面図
【図４】シルバーカー（手押し車、自転車）等の握り部につぼ押しが組み込まれた平面図
【図１】
2009028476.tif 000003
【図２】
2009028476.tif 000004
【図３】
2009028476.tif 000005
【図４】
2009028476.tif 000006
(57)【要約】【課題】純毛毛糸、絹毛混紡毛糸等、その他各種高価な原材料で棒針編みを致しますと、手数も、作成時間数も、大変な労作です。高級編物を長持ち、させる事、汚さない事、しみ対策、洗濯回数を少なくし、風合いを失わないようにすること。着脱に、支援の必要な年寄りでも、一人で適当に着られます様に。旅行等に着替えが、かさばらないように。【解決手段】表裏両面使用出来る模様編みを考案致しました。平面編みに使用、表、裏の気使い不用。立体編みには、衣類に使用、閉じ目、継ぎ目の表裏の区別を無くし、両面着用。（リバーシブルニット）工業機械編みでも両面着用の出来る、模様編みが共通使用出来ると存じます。【特許請求の範囲】
【請求項１】
平面の独自の模様配列において、表側は従来通り編み、裏側は、メリヤスあみの表目の個所で、裏側へも模様編みし、同様に柄等を並べる模様編み方法。
【請求項２】
立体の衣類等、閉じ代や袖付代の無い、両面とも表側に使用出来る仕上げ方と、請求項１に記載の模様編み方法。
【請求項３】
輪編み、丸編み等、閉じ代を作らずに、増減目をする方法と、両面とも表側に使用出来る衣類を編む、請求項１に記載の模様編み方法。
【請求項４】
機械工業生産の編物において、模様の表裏とともに、リバーシブル可能な上記のデザインと技法を並べて製品化した編物。
【発明の詳細な説明】
【技術分野】発明の詳細な説明
【背景技術】編物は基本的に表目と裏目と有り、その組合せを繰返して編地模様になります。
衣類、その他とも原則的に表側を片面のみ使用致します。
模様の独自の配列方法を考察致しますと、表裏同模様が繰返されまして両面使用可能となります。
国内では、２０年位前にリバーシブルアーガイル模様が発表されています。２重編み。元案は、私のは１枚で両面とも表模様です。平成１２年頃衿巻を１枚編みました。平成１８年１月衿巻を商品に仕上げる。リバーシブルマフラー  平成１８年６月膝掛けを繰返し模様で編む。
【発明が解決しようとする課題】
手編みは各々１枚ずつ個人用の寸法で作成致します。１枚完成する迄の手数作成時間数とも、大変な労作です。この宝物を長持ちさせる事ができるのではないかと、面白い両面編物を思いつき追求致しました。
両面編みに可能な模様
１．市松模様、鹿の子、２  交叉模様、綱、３．引上げ、すべり目、４．護謨編み、変り護謨、５  ガータ編み、縞  ６．穴明き模様（レース）  ７．その他
メリヤス編みの表目裏目と、模様部分を組合せて、間隔良く交互に配列します。
平面使用の物  衿巻、肩掛、膝掛け、その他
立体使用の物  プルオーバー（セーター）カーディガン、ジャケット、ボレロ、ベスト  ワンピース、帽子、チャンチャンコ、その他
【課題を解決するための手段】
手編み機、棒針編みとも衣類は、脇閉じ袖付等、表側、裏側が顕著に決まっていました。
１．脇閉じ無し、ぐるりと輪編みを使用
２．袖付なし、ラグラン袖、丸ヨーク等使用。袖付の両面使用。
３．メリヤス目２目程度の間に各模模を挟み、そのメリヤス編目は、５〜１０段程度で表目裏目を向き替え、繰返す。
４．このメリヤス２目の部分をラグラン線の合せ目に当てる。減目は表目を優先順位とし、裏目を下から寄せて減目。表も裏もメリヤス表目の場合は、次の模様の顕著な方を優先的に、表目に立てる。
５．ベストの衿は、細糸で袋編みにし、終りをきれいに継ぎ合せる。
袖は衿と同じ袋編み、もしくは、護謨編みを身頃に続けて同時に編む。
６．その応用分野も上記に準ず。
2009133047.tif 000002
【発明の効果】
上記の編物の製作デザインと、技法により表裏区別なしに両面着用出来ます。
表側を着、次ぎに残りの片面を着る。しみ等の対策になります。
年寄りは、着脱自由で、世話要らず、介護の手間が省けます。
特に、前後差も、無し、表裏も自由な、特製介護セータも考案出来ました。
両面平均的使用で、片寄る摩耗が防げます。
クリーニング１回に対して、その後濯ぎ干し程度で、２回位は、繰返し着用出来る。清潔です。
【発明を実施するための最良の形態】
【実施例１】衿巻と膝掛け〔図１〕
表から見ましても裏から見ましても同柄、どの１区切の段から編み始めても、同じ柄に仕上ります。
【実施例２】表側を着ましても、裏側を出して着ましても、即、この柄で出来上った作品です。両面とも表です。男女兼用セータ。〔図２〕
【実施例３】女児袖付上衣（中袖ボレロ）旅行等に最適〔図３〕
【実施例４】初夏のフレンチスリーブセータ。脇から上に、前後とも裏側から表目レース模様を追加致しまして、両面使用の、価値を決めました。〔図４〕
【産業上の利用可能性】工業編物業界は、模様も複雑に出来上っています。一昨年からは、ワンピースを裾から一続きで継ぎ目無しで出来上って居ました。
簡単な織模様で尚かつ両面使用可能な商品が作り出せる思います。
製品化は、手編みの原理から、デザインしまして、簡単なものから、順に、リバーシブル使用出来ます。
【図面の簡単な説明】
【図１】衿巻き。偶数段の個所は、裏から模様編み。記号は表から表して、裏印。
【図２】ラグラン袖のセータ後身頃。模様編記号の次で減目  脇の休み目と背丈１０段追加の図  ラグラン線の減目をしながら輪編みします。
【図３】リバーシブルのボレロ、裾ガータ６段、前立ガータ５目、表図の裏記号は偶数段で裏から早目にレース模様処理をします。
【図４】フレンチスリーブセータの脇の巻き目の増目６目  袖口護謨編み６目続けて編みます。次前後２枚に分けて編みます  表図の裏記号は偶数段で裏から表メリヤス目をレース模様編みします。
【符号の説明】
〔図１〕４段目の裏交叉編みは、裏側から表メリヤス目２目を左上交叉編み。
〔図３〕２段目の裏の寄せ目とレース穴は、裏側から左上寄せ目１回掛け糸１回（レース）
【図１】
2009133047.tif 000003
【図２】
2009133047.tif 000004
【図３】
2009133047.tif 000005
【図４】
2009133047.tif 000006
(57)【要約】  【課題】  着用するだけで、ダイエットを意識し、食べ過ぎなどによる体型変化の予防を意識的に補助できるベルトを提供する。  【解決手段】  ベルト穴の数を２個もしくは１個に限定することにより、ウエスト周りの体型変化に対する危機意識の持続を補助することを可能とする。また、ダイエット目標設定として、痩せるべきウエスト寸法を、ダイエット目標カット領域として明確に示すことでダイエットに対する意識の持続を補助することを可能とする。さらに、ベルト穴の数を２個もしくは１個に限定することにより、ダイエットに成功したあとでよくあるリバウンドに対しても体型の逆戻りを予防することを補助することを可能とする。  【選択図】  図１
2009133042.tif 000002
【特許請求の範囲】
【請求項１】
腹部に着用するベルトの形状に関し、ベルト穴１の数を２個もしくは１個に限定することを特徴とするダイエット補助ベルト。  
【請求項２】
上記請求項１に記載の２個もしくは１個だけ穴を開けたダイエット補助ベルトに関し、ベルトのバックル挟みこみ部分２付近に文字や柄などをプリントする、あるいはシールを貼り付けるなどして、ウエストが痩せた際に不要となり切断する部分に３ｃｍから１０ｃｍ程度のカット予定領域を設けることを特徴としたダイエット補助ベルト。
【請求項３】
上記請求項１に記載の２個もしくは１個だけ穴を開けたダイエット補助ベルトに関し、ベルトのバックル挟みこみ部分２付近に設けた文字や柄などが、ベルトを腹部に着用した状態では、隠れて他人から見られないようにしておくため、穴より外側の部分３を十分長く設けることを特徴としたダイエット補助ベルト。
【発明の詳細な説明】
【技術分野】
【０００１】
本発明は、腹部に着用するベルトの形状に関するものである。
【背景技術】
【０００２】
従来のダイエットベルトでは、たとえばベルトに数字・文字・線・記号・模様などの「しるし」を付して、ベルトの止め穴又はバックルの止め位置で、胴回りの長さ又は体重が判るように工夫している。
しかし、このような方法だけでは、現状の体型確認には効果があってもたとえば食べすぎや運動不足による体型の変化を予防することに対しては効果が小さい。
【特許文献１】特開２０００−２２６７１１号公報
【発明の開示】
【発明が解決しようとする課題】
【０００３】
一般的なベルトは、利用者の体型がある程度変化することを想定して複数の穴が開けられている、通常この穴の数は少なくて３個、平均的には５個から６個程度設けられており、この穴の多さが利用者の体型変化に対する油断を生む要因の一つとなっている。
【課題を解決するための手段】
【０００４】
本発明は、このような腹部に着用するベルトの形状に関して、着用することでウエストを細くするためのダイエット目標を簡単に確認でき、またダイエットの効果も常に実感でき、さらにはリバウンドによる体型の逆戻りを予防することを目的とするものである。
この目的を達成するために本発明のダイエット補助ベルトは、ベルト穴１の数を２個もしくは１個に限定することにより、ウエスト周りの体型変化に対する危機意識の持続を補助することを目的とし、また、やせるべきウエストの寸法を明確にすることでダイエットを効果的に補助し、さらにはダイエットに成功したあとでよくあるリバウンドに対しても体型の逆戻りを予防することを補助することを最も主要な特徴とする。
【発明の効果】
【０００５】
以上の説明から明らかなように、本発明によるダイエット補助ベルトを用いることにより、比較的ウエストの大きな人に対して簡単で安価にて常にダイエットを意識できるベルトを提供することができる。
【発明を実施するための最良の形態】
【０００６】
本発明を用いたベルトを着用する場合、まず最初に現状のウエストサイズに合わせてベルト穴１がくるようにベルトの長さを調整する、この際、例えば２つ穴のベルトの場合、空腹時であればベルト穴の内側（バックルに近い方の穴）、満腹時であればベルト穴の外側（バックルから遠い方の穴）になるように調整するのが望ましい。ベルト穴が現状の位置より外側（バックルから遠い方の穴）に無いことで利用者は体型の変化に対して、危機意識を持つことになる。
具体的には、現状の穴位置よりも外側には穴が無いため、仮に食べすぎや運動不足でウエストが太ってしまうとこのベルトが使えなくなるという形でダイエット失敗の結果が確認できるようになる。
【実施例】
【０００７】
以下、本発明の一実施の形態によるダイエット補助ベルトについて、図１を用いて説明する。
【０００８】
まず、ベルトの穴は先の説明のように現状の体型に合わせてベルト穴１を２個だけ設ける、さらに、これから先のダイエット目標として、たとえば５ｃｍ程度のカット予定領域をベルトのバックル挟みこみ部分２付近に文字や柄を用いて設ける。この部分は、ダイエットに成功してウエストが少しでも細くなった場合、この部分をハサミ等で切り取り細くなったウエストに合わせる。ベルト穴が５個や６個設けられた従来のベルトとは違い、ベルト穴が２個しかないことで少し痩せただけでもベルトをカットすることができ、こまめにダイエット成功の実感を味わうことができる。
【０００９】
また、このベルトのバックル挟みこみ部分２付近に設けた５ｃｍ程度のカット予定領域については、通常腰にベルトを着用した状態では他人から見られないようにするため、ベルト穴より外側（バックルから遠い方）の長さを十分長く設けて普段はこの領域３の下に隠れるような形状にすることがのぞましい。
【００１０】
すなわち、本発明のダイエット補助ベルトの見かけ上の特徴は従来のベルトではベルトの穴が５個から６個程度設けられているが、本発明のダイエット補助ベルトはベルト穴１を２個もしくは１個しか設けず、こまめにカットできるダイエット目標カット領域２を設け、さらにこの部分を隠せる領域３をもつことになる。ダイエットのステップから考えてこのダイエット目標カット領域２の長さＡは約３ｃｍから１０ｃｍ程度の範囲であり。この長さＡはある程度自由であるが、製品のアピールとしては例えば「まずはマイナス５ｃｍ」として決めて販売することも効果がある。
【図面の簡単な説明】
【００１１】
【図１】本発明の一実施形態によるベルトの形状を示す平面図
【符号の説明】
【００１２】
１  ベルト穴
２  バックル付近の文字部（ダイエット目標カット領域）
３  ２の文字部を覆い隠す部分
Ａ  バックル付近の文字部の長さ
【図１】
2009133042.tif 000003
(57)【要約】【課題】  帽子着用時に強風でも飛ばされない着脱自由なあごひもを提供する。【解決手段】  帽子着用時に使うあごひもに長さを調節する部品をつけ、さらにそのひもの両先端に着脱可能なとめ具をつけたワンタッチ式あごひも。【選択図】図１
2009133045.tif 000002
【特許請求の範囲】
【請求項１】
所定長さのあごひもの中間部に、ひもの長さを調節するためのストッパーを設け、あごひもの両端にクリップ式とめ具を着脱可能に取り付けたことを特徴とする、帽子用のワンタッチ式あごひも。
【発明の詳細な説明】
【技術分野】
【０００１】本発明は、着脱が簡単で自由にできる、帽子のワンタッチ式あごひもに関するものである。
【背景技術】
【０００２】従来の帽子のあごひもは、帽子に直接縫いつけてあるものがほとんどである。
又、着脱が可能ではあっても、それは帽子と衣服をつなぐものである。
【特許文献１】
【特許文献２】
【発明の開示】
【発明が解決しようとする課題】
【０００３】  それには次のような問題点があった。帽子の片側と衣服を固定するものは、風がふくとひもが衣服にとめられているので、吹き飛ばされはしないが頭から離れてしまい、何回もかぶりなおしたり、自転車に乗っている時や荷物で両手がふさがっている時などは、あきらめてそのまま衣服からぶらさがったままになっていた。本発明は以上の問題点を解決しようとするものである。
【課題を解決するための手段】
【０００４】  ひもの中心部にストッパーをつけ、さらに両先端に着脱自在なクリップ式とめ具を取り付け、帽子の内側の布の折返し部分にクリップ式とめ具をはさんで固定し、強風でも帽子が吹き飛ばされないように構成した、ワンタッチ式あごひもである。
【発明の効果】
【０００５】  本発明は、強風でもあごの所のストッパー部分でしっかりとめられるので、帽子が飛び落ちることがない。最初からひもが縫いつけられたものは、飛ばされはしないが風のない日にはひもがないほうがおしゃれである。
【発明を実施するための最良の形態】
【０００６】  以下、本発明の実施の形態を説明する。
（イ）あごひも（１）の中心部に、ストッパー（２）を取りつける。
（ロ）あごひも（１）の両先端に、クリップ式とめ具（３）（４）を取りつける。
本発明は以上の構成よりなっている。
本発明を使用する時は、上記のあごひも（１）を、帽子の内側にある折返し布の部分にクリップ（３）（４）で左右に取り付け、さらにストッパー（２）の部分であごひもの長さを調節して着用する。それにより、強風が吹いてもあごひもはしっかりとめられているので、帽子が飛ばされてしまうことがない。
【図面の簡単な説明】
【０００７】
【図１】本発明の斜視図
【図２】本発明の一部を切り欠いた側面図
【図３】本発明の使用状態を示す斜視図
【符号の説明】
【０００８】  １  あごひも
２  ストッパー
３  クリップ式とめ具
４  クリップ式とめ具
【図１】
2009133045.tif 000003
【図２】
2009133045.tif 000004
【図３】
2009133045.tif 000005